(57)【要約】【課題】  １つの走査型の表示機構により複数の表示画面に表示を行う走査型画像表示装置を提供することにある。また、１つの走査型の画像表示機構により、映像撮影装置において覗き込み型の電子ビューファインダと側面や背面の直視型表示素子に表示を行うことが可能な映像撮影装置を提供することにある。【解決手段】  少なくとも一つの光源と、当該光源からの光束を所定の面内に二次元的に走査する走査手段と、当該光源と当該走査手段を同期して制御する制御手段とを有する走査型画像表示装置において、前記走査手段によって走査される面として独立した複数の走査面を有することを特徴とする走査型画像表示装置、および当該走査型画像表示装置を有する映像撮影装置。【選択図】  図１
2005107361.tif 000002
【特許請求の範囲】
【請求項１】
少なくとも一つの光源と、当該光源からの光束を所定の面内に二次元的に走査する走査手段と、当該光源と当該走査手段を同期して制御する制御手段とを有する走査型画像表示装置において、
前記走査手段によって走査される面として独立した複数の走査面を有することを特徴とする走査型画像表示装置。
【請求項２】
前記走査手段によって走査される複数の走査面には拡散板が含まれることを特徴とする請求項１に記載の走査型画像表示装置。
【請求項３】
前記走査手段によって走査される複数の走査面には、当該走査された光束を略一点に集光させる光学系を構成する光学素子が含まれることを特徴とする請求項１に記載の走査型画像表示装置。
【請求項４】
前記走査手段は、前記複数の走査面を連続して走査することを特徴とする請求項１乃至３に記載の走査型画像表示装置。
【請求項５】
前記走査手段は、前記複数の走査面の内の選択された走査面を走査することを特徴とする請求項１乃至３に記載の走査型画像表示装置。
【請求項６】
前記走査手段は前記光束を走査面上に二次元的に走査する微小ミラーを有することを特徴とする請求項１乃至５に記載の走査型画像表示装置。
【請求項７】
前記走査手段は前記光束の一次元的な走査を行う微小ミラーと、当該微小ミラーの走査方向と直交する方向に前記光束を走査する走査ミラーとを有し、当該微小ミラーと当該走査ミラーによって前記光束が走査面上に二次元的に走査されることを特徴とする請求項１乃至５に記載の走査型画像表示装置。
【請求項８】
入射した光束を電気信号に変換する撮像素子と、外部からの光束を当該撮像素子に結像する撮像光学系と、当該電気信号を処理する信号処理手段と、請求項１乃至７に記載の走査型画像表示装置とを有する映像撮影装置において、
前記撮像素子からの電気信号が前記信号処理手段を経て前記制御手段に供給されることにより、撮像素子上に結像した映像が前記走査型画像表示装置に表示されることを特徴とする映像撮影装置。
【請求項９】
前記映像撮影装置に含まれる前記走査型画像表示装置の走査面の１つは観察者の眼球位置を前記走査手段による走査中心を共役な位置とする光学系を構成する光学素子であることを特徴とする請求項８に記載の映像撮影装置。
【請求項１０】
前記映像撮影装置に含まれる前記走査型画像表示装置の走査面の１つは当該映像撮影装置の側面又は背面に設けられた直視型表示素子であることを特徴とする請求項８に記載の映像撮影装置。
【発明の詳細な説明】
【技術分野】
【０００１】
本発明は光束を２次元方向に走査することで画像を形成する走査型表示装置に関し、特に複数の走査面を有する走査型表示装置に関する。また、当該走査型表示装置を電子ビューファインダとして有するデジタルスチルカメラやデジタルビデオカムコーダなどの映像撮影装置に関する。
【背景技術】
【０００２】
電荷連結素子（ＣＣＤ）に代表されるような撮像素子により得られた画像を記録する装置として、所謂デジタルスチルカメラ（以下ＤＳＣ）やデジタルビデオカムコーダ（以下ＤＶＣ）などがある。これらＤＳＣやＤＶＣには通常、使用者に対し撮影範囲を示すファインダが装備されている。
【０００３】
ファインダとしては、ＣＣＤなどの撮像を行う光学系とは別に、専用の光学系を有する光学ビューファインダが装備されていることが多い。しかしこのような、撮像に利用するものとは別個の光学系を用いた光学ビューファインダシステムの場合、特に至近距離での撮影において所謂パララックス（視差）により、ファインダ内で観察される撮影範囲と、実際に撮影される画像の撮影範囲が異なってしまうという問題がある。
【０００４】
これに対し、ＣＣＤなどの撮像素子からの信号を小型の液晶パネル等の表示素子に表示し、その画像を光学系を通して拡大観察する電子ビューファインダがある。これら電子ビューファインダでは、撮像素子からの信号をそのまま利用するため、実際に撮像される画像と同じ画角を有する画像を観察することができ、視差を生じることなく撮影範囲を決定することができる。
【０００５】
また、解像度の高い画像の得られる電子ビューファインダシステムとして、特開平１１−８４２９１のような走査型表示装置を用いた電子ビューファインダシステムが提案されている。走査型の画像表示装置は、従来の表示素子を利用しないファインダシステムであり、解像度の高い画像が得られる。また、表示素子として液晶パネルなどを利用しないため、画素欠陥などの製造上の問題が生じ難いなどの特徴を有する。
【０００６】
一方、ＤＳＣやＤＶＣには、従来の覗き込み型のビューファインダシステムとは別に、本体側面や背面に数インチサイズの直視型の表示素子を装備していることが多い。これらの直視型表示素子には、電子ビューファインダと同様に撮像素子からの信号をそのまま表示してファインダシステムの代わりとして利用されるが、その際に従来のビューファインダと比較して、撮影の姿勢の自由度を向上させるなどの効果が得られる。また、当該直視型表示素子は撮影条件やバッテリ残量、撮影枚数などを表示する用途にも使用され、ＤＳＣやＤＶＣを使用する際の利便性の向上の効果が大きい。
【０００７】
しかし、直視型表示素子では、晴れた日の屋外などの周囲が明るい環境下では表示が見えにくくなってしまう等の欠点があり、常にビューファインダの役割を果たすことができない。
【０００８】
このため、ＤＳＣやＤＶＣでは、周囲の明暗等の状況に関わらず撮影を行う範囲を確認でき、かつ現在の撮影条件等の情報表示も行う等の利便性を確保することを可能にするために、電子ビューファインダと共に、側面や背面に直視型表示素子を両方装備することが好ましい。
【特許文献１】特開平１１−８４２９１
【発明の開示】
【発明が解決しようとする課題】
【０００９】
しかし、電子ビューファインダと直視型表示素子の２つの表示方式をともに装備すると、液晶パネルなどの表示素子を少なくとも２つ装備することが必要になり、撮影装置の小型化や軽量化が困難になり、コストの増大にも繋がる問題点を生じる。
【００１０】
以上の問題点を解決するために、本発明の目的は、走査型表示装置の特徴を生かして、１つの走査型の表示機構により複数の表示画面に表示を行うことができる走査型画像表示装置を提供することにある。
【００１１】
また、本発明の別の目的は、前記１つの走査型の表示機構により複数の表示画面に表示を行うことができる走査型画像表示装置を有する映像撮影装置を提供し、特に覗き込み型の電子ビューファインダと側面や背面の直視型表示素子を持つ映像撮影装置において、１つの走査型の表示機構により、当該電子ビューファインダと、直視型表示素子の２つの表示形態を利用することが可能で、かつ高解像度な表示が可能な映像撮影装置を提供することにある。
【課題を解決するための手段】
【００１２】
以上の問題点を解決するため、本発明に係る走査型画像表示装置は、少なくとも一つの光源と、当該光源からの光束を所定の面内に二次元的に走査する走査手段と、当該光源と当該走査手段を同期して制御する制御手段とを有する走査型画像表示装置であって、前記走査手段によって走査される面として独立した複数の走査面を有する。
【００１３】
また、本発明に係る映像撮影装置は入射した光束を電気信号に変換する撮像素子と、外部からの光束を当該撮像素子に結像する撮像光学系と、当該電気信号を処理する信号処理手段と、上記の走査型画像表示装置とを有する映像撮影装置であって、前記撮像素子からの電気信号が前記信号処理手段を経て前記制御手段に供給されることにより、撮像素子上に結像した映像を前記走査型画像表示装置に表示させる。
【００１４】
また、上記映像撮影装置は、上記走査型画像表示装置の表示部として電子ビューファインダと、直視型表示素子を有する。
【発明の効果】
【００１５】
以上説明したように、２次元方向に光束を走査し、画像を表示する走査型画像表示装置において、走査手段により走査される走査対象を複数設けることで、単一の走査手段により複数の箇所に画像を表示することが可能となる。また当該走査型画像表示装置を映像撮影装置に適用することで、例えばビューファインダ表示と背面の直視型表示装置の表示とを、１つの走査手段により構成することが可能になる。２種類の表示方法を１つのデバイスで表示することで、システムの構成を簡単にできる。
【発明を実施するための最良の形態】
【００１６】
以下、本発明に係る走査型画像表示装置、及び映像撮影装置について実施例に基づいて具体的に説明する。
【実施例１】
【００１７】
図１を用いて本発明の第１の実施例を説明する。図１は第１の実施例における走査型画像表示装置の概略図である。光源１１から射出した光束１２は、反射ミラー１３により光路を曲げられ、反射型の走査手段１４に入射する。走査手段１４に入射した光束１２は、走査手段１４により２次元方向に走査される。光源１１から射出される光束１２の階調と走査手段１４により走査される光束１２の角度は、制御手段１１３により制御され、所定の像を描画することが可能となる。また、光源１１として波長の異なる複数の光源を用いることにより、フルカラー画像を達成することができる。
【００１８】
光源１１としては、例えばレーザダイオード（半導体レーザ）などのレーザ光を発生する光源を用いることが可能である。また、ＬＥＤや通常の散乱光を発生する光源を用いる場合には、それらを十分に細いビームにするための光学系を付加することが有効である。
【００１９】
以下に説明するように、図１においては、走査手段１４は接眼光学系１５を構成する光学素子と、所定の光学系１１１を介して拡散板の効果を持つ背面スクリーン１８のいずれか一方、又はその両方を走査可能である。
【００２０】
走査手段１４が光束１２を走査する対象を変えるためには、いずれの走査対象も走査手段１４の走査可能な範囲内に含まれる場合には、制御手段１１３により走査手段１４の走査範囲を選択することで、複数の走査対象を走査可能である。
【００２１】
一方、複数の走査対象が走査範囲内にない場合には、後に説明するように走査手段１４を設置する角度自体を変更する手段により変更してもよい。
【００２２】
また、走査手段１４の走査角度や設置角度等は変えないままに、例えば反射ミラー１３の位置を変えることで、走査手段１４に入射する光束１２の入射角を変更することによっても走査対象を変更することが可能である。
【００２３】
更に、走査手段１４から射出した光束の光路を、光の偏光状態を選択することによって光を透過又は反射させる偏光ビームスプリッタ等を使用したり、又は当該射出光路内に設置角度を変更可能な反射鏡を設置して角度を変更することにより、異なる方向に切替えることによっても走査対象を変更することが可能である。
【００２４】
本実施例では、特に複数の走査対象が走査手段１４の走査可能な範囲内に含まれる場合に、制御手段１１３により走査手段１４の走査範囲を選択することで複数の走査対象をそれぞれ走査する場合について以下に説明する。
【００２５】
図１において、走査手段１４の走査中心が、光束１２の入射方向に対しある角度θ１をなしている場合（以下状態１とする）であって、接眼光学系１５の光軸である第１の光軸１９を中心としている場合、走査手段１４により光束１２は接眼光学系１５を構成する光学素子上に走査されることで、接眼光学系１５に入射する。ここで、光束１２の走査される範囲は、走査手段１４の走査角に依存する。接眼光学系１５は走査手段１４の偏向原点位置と観察者の瞳１６とを共役な位置とすることにより、走査された光束１２は観察者の瞳１６の位置で略一点を通過し、網膜１７上に所望の像を描画する。以上のようにして、光束１２が走査手段１４により２次元方向に走査されることで、網膜１７上に２次元の画像が形成される。
【００２６】
一方、走査手段１４の走査中心が、光束１２の入射方向に対し上記状態１とは異なる角度θ２をなしている場合（以下状態２とする）であって、直視型表示素子である背面スクリーン１８を走査するための第２の光軸１１０を中心としている場合、光束１２は走査手段１４により投影光学系１１１を介して背面スクリーン１８上に走査される。このとき、背面スクリーン１８を光拡散効果のある透過型の拡散板とすることで、走査手段１４により光束１２が２次元方向に走査された背面スクリーン１８上に２次元画像が形成され、当該形成された画像を観察者１１２が観察することができる。
【００２７】
投影光学系１１１には、走査手段１４が背面スクリーン１８を走査する範囲を決定したり、走査手段１４と背面スクリーン１８の位置関係により生じるひずみを補正したりなどの機能を持たせることができる。
【００２８】
本実施例では、走査手段１４の一例としてＭＥＭＳ技術により作成された偏向ミラーデバイスを用いており、その概要図を図２に示している。偏向ミラーデバイス２４は、Ｓｉ基板をＭＥＭＳ技術により加工してできた走査機能を有するミラーである。入射した光線を反射するミラー２３は２本のトーションバー２１、２２により保持されている。ここで、２本のトーションバー２１、２２は互いに直交している。走査手段１４に入射した入射光束は、ミラー２３により反射される。ここで、トーションバー２１、２２が各々ミラー２３の反射面を中心に外部からの力を受けることによりねじれ、これによりミラー２３の反射面の向きを変化させ、ミラーに入射した光束を２次元方向に走査することが可能となる。
【００２９】
走査手段１４の走査対象を偏光する手段の一例として、走査手段１４の静止位置を変える機構について以下に説明する。上記状態１と状態２における走査中心の切替えは、例えば走査手段１４の一例である前記偏向ミラーデバイスのミラーの静止位置を切替えることで行うことが可能である。
【００３０】
図３に、前記偏向ミラーデバイスのミラーの回転方向の振動運動の発生と、静止位置（走査中心）の切替え手段の一例についての概要を示す。図３（ａ），（ｂ）に示すように、ミラー２３の近傍の相対する位置に電極３１、３２が配置されている。図３（ａ），（ｂ）はトーションバー２１と平行な方向から観察した場合を示しているが、トーションバー２２と平行な方向から観察した場合にも同様に電極３３、３４が配置されている。電極３１、３２に異なる電圧を印加することで、ミラー２３と電極３１、３２の間に異なる大きさの静電気力を発生させてミラー２３をトーションバー２１を中心に回転させることができる。このとき、ミラー２３の電位は一定に保たれるようにされている。
【００３１】
図３（ａ）は、上記の状態１における偏向ミラーデバイス２４の状態を表す。ミラー２３は水平状態を原点として回転方向に振動を生じている。
【００３２】
図３（ａ）の状態において、電極３１、３２に対し夫々印加される電圧は以下のように示される。 
電極３１：Ｖ３１＝−Ａ（ｔ）
電極３２：Ｖ３２＝Ａ（ｔ）
このように、大きさが等しく、正負が反対の電圧を印加することで、ミラー２３がトーションバー２１を中心に回転し、入射した光束を走査する。ここで、ｔは時間、Ａ（ｔ）は時間ｔに対し周期的に変動する印加電圧成分を表す。
【００３３】
図３（ａ）の状態に対し、図３（ｂ）は、上記の状態２における偏向ミラーデバイス２４の状態を表す。ミラー２３は水平状態からずれた位置を原点として回転方向に振動を生じている。図３（ｂ）の状態は例えば電極３２にのみバイアス電圧を印加することで、図３（ｂ）のようにミラー２３の片側にのみ静電引力が発生してミラー２３が傾いた状態を原点として振動させることで実現される。
【００３４】
図３（ｂ）の状態において、電極３１、３２に印加される電圧はそれぞれ以下のように示される。 
電極３１：Ｖ３１＝−Ａ（ｔ）
電極３２：Ｖ３２＝Ａ（ｔ）＋Ｖ１
このような電圧を印加することで、図３（ｂ）に示すような、ミラー２３が傾いた状態を走査中心として、ミラー２３が振動し、上記の状態１とは異なる走査対象に入射光束の走査を行うことが可能となる。ここで、Ｖ１は電極３２にのみ印加されたバイアス電圧である。バイアス電圧は片方の電極だけでなく、両方の電極にそれぞれ大きさの異なる電圧をかけることで走査中心の調整が可能である。
【００３５】
以上は、トーションバー２１を中心した運動についてのみ説明したが、トーションバー２２を中心とした運動についても同様である。
【００３６】
図４は、走査手段１４の走査特性を示す模式図である。図４は、走査手段１４の走査特性のうちの特に、走査中心の切替えに用いる走査方向が再現される像の垂直方向に対応する場合の、垂直方向の走査特性について示している。
【００３７】
ライン４１は、走査手段１４の垂直走査方向の走査特性の一例である。図４中、縦軸は振れ角、横軸は時間を表す。走査手段１４は垂直走査方向の走査特性としてライン４１のような線形部分を持つ鋸歯状の走査特性を持つことが可能である。図４においてライン４１の直線で描かれた各部分の内の右上がりの部分において、以下に説明するように各振れ角の位置に対応した水平方向の走査が行なわれる。
【００３８】
この時、走査手段１４は、垂直方向の走査振幅４６を持つことが可能であるが、実際には４６の振幅分を以って単一の走査対象を走査する必要はなく、夫々異なる走査中心４３、４５を持つ２つの領域４７、４８に分割し、夫々４２、４４のような振幅の小さい走査振幅を持った走査を行うことも可能である。例えば、領域４７をビューファインダの光路５１に、領域４８を直視型表示素子の光路５２に割り当て、２つの表示形態を切替えることが可能である。以上説明したような機構により、例えば、上下方向に隣接して配置されるビューファインダの光路５１と直視型表示素子の光路５２を介してＳＶＧＡ（横８００×縦６００）の画像を両画面に走査手段１４による走査によって再現するには、走査手段１４の持つ走査振幅４６は少なくとも６００の２倍である１２００Ｌｉｎｅ分の走査振幅が必要となる。ここで、ビューファインダに表示を行う場合は、走査手段１４は１２００Ｌｉｎｅ分の走査振幅４６のうち、振幅４７にあたる６００Ｌｉｎｅ分でのみ振動するように制御手段１１３から走査手段１４に信号が入力され、他の部分では走査を行わない。また、直視型表示素子に表示を行う場合は、当該制御手段１１３からの信号に一定のバイアスが付加することで振幅４８にあたる６００Ｌｉｎｅ分でのみ振動するようにすることで１つの走査型表示装置で複数の画面に像を再現することができる。
【００３９】
図６は走査手段１４により光束１２を走査する際の走査方法について示している。本実施例における走査型画像表示装置では、走査手段１４により１つのビームを縦横に走査することで画像を生成する。具体的には、水平方向に１ライン分の走査をした後、その１つ下のラインの走査を行い、その繰り返しによって画面全体の走査を行う。その際の水平走査の方向に関して、図６（ｂ）のように一段毎に走査方向を逆にして描画を行うことが描画速度の観点から有効である。但しこの場合には、図６（ａ）に示されるような、撮像素子等により通常生成される画像形式に従った走査方法を行う場合と比較して、復路にあたる斜線部の画素を描画するライン（６４）の画像信号は、撮像素子により生成されるデータの向き（６３）とは反転された画像データとしなければならない点に注意が必要である。
【００４０】
なお、本実施例中では、表示手段の切替えに用いる垂直方向走査の走査特性を、線形部分を含む鋸波駆動としたが、図５で示すような正弦波駆動でもかまわない。この場合、走査手段自体は５１で示される走査特性と５６で示される走査振幅を持ち、状態１において走査特性５２、走査中心５４、走査振幅５７を持った垂直方向走査で、状態２においては走査特性５３、走査中心５５、走査振幅５８を持った垂直方向走査により描画を行うことができる。
【００４１】
また、本実施例中では、走査手段として、単独で２次元方向に走査可能な２次元偏向ミラーデバイスを用いる例について説明したが、図７に示すような、１次元方向にのみ走査可能な偏向ミラーデバイス７１と、垂直方向走査を行う走査ミラー７２を組み合わせた、２次元走査ユニット７３を用いても同様の効果を得ることができる。
【実施例２】
【００４２】
図８は、本発明の第２の実施例を説明するための図である。第２の実施例では、第１の実施例と同様の構成を持つが、走査手段１４による走査対象である表示手段の切替え手段が異なる。尚、以下の説明において、実施例１の説明において用いた符号と同じ符号を持つものは、同様の機能を持つものとして、詳細な説明は省く。
【００４３】
図９は第２の実施例における走査手段１４の走査特性のうち、特に垂直方向の走査特性を示す。第１の実施例においては、表示装置を切替えるために走査手段１４による走査対象を切替える際に、走査手段１４に含まれるミラー２３が回転振動する領域を変更して走査対象の切替えをおこなった。これに対し第２の実施例では、図９に示すように、垂直方向走査において、走査手段は常に走査可能な範囲全てである範囲９６で往復動作をしている。この往復動作の範囲９６の中に、ビューファインダ用の光路９７と直視型表示素子の光路９８が上下方向に隣接して配置される。このようにすることで、各々覗き込み型のビューファインダに相当する範囲９７、および直視型表示素子に相当する範囲９８において、両画面に同時に表示を行うことができる。
【００４４】
例えば、ビューファインダ及び背面パネルの両者の解像度が、ＳＶＧＡ（８００×６００）の解像度である場合、走査手段１４は１２００Ｌｉｎｅ分以上の走査振幅を持つものが用意される。ここで、範囲９７にあたる６００Ｌｉｎｅ分において、８００Ｐｉｘｅｌ×６００Ｌｉｎｅの画像をビューファインダに表示させ、同時に範囲９８に相当する６００Ｌｉｎｅ分において、８００Ｐｉｘｅｌ×６００Ｌｉｎｅの画像を直視型表示素子に表示させることが可能となる。
【００４５】
一方、いずれか一方にのみ表示を行う場合には、指定された表示部に対応する範囲においてのみ光源１１から光束１２を射出することで、それ以外の範囲では描画を行わないことも可能である。この場合にも、走査手段１４は範囲９６にあたる走査振幅全体にて振動していることで制御が容易となる。
【００４６】
一方、ビューファインダと直視型表示素子のいずれかでのみ表示を行う際の切替えは、ファインダシステムの下部に設けられたセンサ８１により自動で行ってもよい。センサ８１は、赤外光を照射する光源と反射赤外光を検知するディテクタから構成される。観察者が覗き込みのファインダを覗き込んでいる場合、光源からの赤外光は観察者の顔面で反射され、ディテクタによりその反射光が検知される。反射光が検知された場合、観察者がビューファインダを覗き込んでいると判断し、電子ファインダ側に画像の表示を行う。逆に、反射光が検知されない場合には、観察者はビューファインダを覗き込んでいないと判断し、直視型表示素子側に自動的に切替えを行う。もちろん、表示の切替えを手動で行う形式でも構わない。
【００４７】
以上説明したように、本実施例の構成によれば、ビューファインダと直視型表示素子の２つの表示手段に同時に表示すること、及びいずれか一方に表示させることも可能である。しかし、実際にビューファインダシステムと、背面のパネルを同時に観察する可能性は低く、また消費電力の増大にも繋がるため、２つの表示手段のどちらか一方に表示を行い、もう一方の表示手段を用いるときには、表示を切替え、もう一方には表示を行わない方が望ましい。もちろん、２つの表示手段に同時に画像出力を行っても構わない。
【実施例３】
【００４８】
図１０を用いて第３の実施例の説明を行う。第３の実施例では、第１の実施例の変形例として、走査手段１４の全体を、走査手段のミラー偏向原点を中心に回転させることで、２つの表示方法の切替えを行う方法について説明する。この機構により、振れ角の振幅の小さな走査手段１４を用いた場合であっても、角度的に隔たった複数の走査対象を切り替えて走査可能とすることができる。表示方法切替え手段以外の構成は、第１の実施例の構成と同じであるため、切替え手段以外の詳細な説明は省略する。
【００４９】
図１０は本実施例において走査手段１４による走査対象を変更する機構を説明するための図である。走査手段１４は図１０のように偏向ミラー２３の垂直走査方向の回転中心１００５を軸として、紙面内平行な方向に機械的に回転することができる。走査手段が回転することで偏向ミラーへの光束１２の入射角を変化させ、走査範囲を１００４ａから１００４ｂへ切替えることができる。
【００５０】
図１１は本実施例における垂直走査方向の走査特性を表した図である。垂直走査方向の走査は、１１０１のように線形部分を含む鋸波状の走査特性を持つ。第１の実施例の状態１においては、１１０２を走査中心とし、１００４ａで表される範囲にて走査を行う。ここで、表示方法を切替える（第１の実施例の状態２にする）と、当初１１０２であった走査中心が１１０３の位置に移動し、１００４ｂの範囲を走査することになる。このように、走査手段全体を回転させることで、各々の状態における走査中心を移動させ、表示手段を切替えることが可能になる。
【実施例４】
【００５１】
第４の実施例においては、上記で説明した走査型画像表示装置を用いた映像撮影装置について説明する。図１２は本発明に係る映像撮影装置の概略を示す図である。
【００５２】
図１２において、撮像光学系１０１は外部からの光束を撮像素子１０２に結像する。撮像素子１０２は入射した光束を電気信号に変換して信号処理手段１０３に信号を出力する。信号処理手段１０３は、入力した信号をそれぞれ記憶手段１０４に適する形式に変換し、また走査型画像表示装置の制御手段１１３に適する形式に変換した後にそれぞれに出力する。
【００５３】
制御手段１１３は上記で説明したような機構により、走査型画像表示装置によって撮影されている画像をビューファインダと直視型表示素子の両方、又はいずれかに表示することで観察者に提示して撮影内容を確認させる。また、記憶手段１０４は信号処理手段１０３からの信号を磁気テープや半導体装置からなるメモリーに記憶することで、映像の記憶を行う。
【図面の簡単な説明】
【００５４】
【図１】本発明の第１の実施例にかかる走査型画像表示装置の構成概略図である。
【図２】走査型画像表示装置に用いる偏向ミラーデバイス（ＭＥＭＳスキャナ）を用いた２次元走査手段の例を示す図である。
【図３】第１の実施例における、偏向ミラーデバイスの走査中心の切替え手段の説明図である。
【図４】第１の実施例における、偏向ミラーデバイスの走査振幅に関する説明図の一例である。
【図５】第１の実施例における、偏向ミラーデバイスの走査振幅に関する説明図の他の一例である。
【図６】走査型画像表示装置における、走査手段による走査方法の説明図である。
【図７】走査型画像表示装置に用いる、２次元走査手段の一例を示す図である。
【図８】本発明の第２の実施例にかかる走査型画像表示装置の構成概略図である。
【図９】第２の実施例における、偏向ミラーデバイスの走査振幅に関する説明図の一例である。
【図１０】本発明の第３の実施例にかかる走査型画像表示装置に用いる走査中心の切替え方法の説明図である。
【図１１】第３の実施例における、偏向ミラーデバイスの走査振幅に関する説明図である。
【図１２】本発明の第４の実施例にかかる画像撮影装置の構成概略図である。
【符号の説明】
【００５５】
１１  光源
１２  光束
１３  反射ミラー
１４  走査手段
１５  接眼光学系
１６  観察者の瞳
１７  観察者の網膜
１８  背面スクリーン
１９  第１の光軸
１１０  第２の光軸
１１１  投影光学系
１１２  観察者の眼球
１１３  制御手段
２１  トーションバー
２２  トーションバー
２３  ミラー
２４  偏向ミラーデバイス（２次元走査）
３１  電極
３２  電極
４１  走査手段の垂直方向の走査特性
４２  第１の状態における垂直方向の走査特性
４３  第１の状態における走査中心
４４  第２の状態における垂直方向の走査特性
４５  第２の状態における走査中心
４６  走査手段のもつ本来の走査振幅
４７  第１の状態における走査振幅
４８  第２の状態における走査振幅
５１  走査手段の垂直方向の走査特性
５２  第１の状態における垂直方向の走査特性
５３  第１の状態における走査中心
５４  第２の状態における垂直方向の走査特性
５５  第２の状態における走査中心
５６  走査手段のもつ本来の走査振幅
５７  第１の状態における走査振幅
５８  第２の状態における走査振幅
６１  画素
６２  撮像手段における画素の読み出し方向
６３  走査型画像表示装置における画素の走査方向（ＯＤＤ）
６４  走査型画像表示装置における画素の走査方向（ＥＶＥＮ）
７１  偏向ミラーデバイス（１次元走査）
７２  垂直方向走査ミラー
８１  センサ
９１  走査手段の垂直方向走査特性
９２  第１の状態における描画範囲
９３  第１の状態における走査中心
９４  第２の状態における描画範囲
９５  第２の状態における走査中心
９６  走査手段のもつ垂直方向走査振幅
９７  第１の状態における走査振幅
９８  第２の状態における走査振幅
１０１  撮像光学系
１０２  撮像素子
１０３  信号処理手段
１０４  記憶手段
１００１  走査手段のパッケージ
１００２  平板ガラス
１００３  回転手段
１００４ａ  第１の状態における走査範囲
１００４ｂ  第２の状態における走査範囲
１００５  ミラーの偏向原点
１１０１  走査手段の垂直方向走査特性
１１０２  第１の状態における走査中心
１１０３  第２の状態における走査中心
【図１】
2005107361.tif 000003
【図２】
2005107361.tif 000004
【図３】
2005107361.tif 000005
【図４】
2005107361.tif 000006
【図５】
2005107361.tif 000007
【図６】
2005107361.tif 000008
【図７】
2005107361.tif 000009
【図８】
2005107361.tif 000010
【図９】
2005107361.tif 000011
【図１０】
2005107361.tif 000012
【図１１】
2005107361.tif 000013
【図１２】
2005107361.tif 000014